(57)【特許請求の範囲】
【請求項１】
引き止め体と、この引き止め体の長手端が一側へ延長されてなり、この延長先端側に嵌着孔が設けられて外周から圧縮され塑性変形して上記嵌着孔に挿入されたワイヤロープ端部を固着する圧縮部、上記引き止め体側に形成された非圧縮部、及び上記嵌着孔の上記引き止め体寄り端部に設けられて外部に開口する点検用の開口部を有する筒状連結体とを備えたロープ引き止め具において、
筒状連結体の引き止め体寄りに設けられて、上記筒状連結体の互いに対向した側面が互いに並行に削除されてなる共回り阻止用工具の係合部を備え、点検用の開口部が上記共回り阻止用工具の係合部の反上記引き止め体寄りの縁部に形成されたことを特徴とするロープ引き止め具。
【請求項２】
引き止め体と、この引き止め体の長手端が一側へ延長されてなりこの延長先端側に嵌着孔が設けられて外周から圧縮され塑性変形して上記嵌着孔に挿入されたワイヤロープ端部を固着する筒状連結体と、上記圧縮による塑性変形により上記筒状連結体に形成された共回り阻止用工具の係合部とを備えたロープ引き止め具。
【発明の詳細な説明】
【０００１】
【産業上の利用分野】
この発明は、エレベーター主索等の引き止めに使用されるロープ引き止め具に関する。
【０００２】
【従来の技術】
図８〜図１０は、例えば実開昭５８−１４０９６３号公報に示された従来のロープ引き止め具を示す図で、図８は正面図、図９は図８のソケット箇所の拡大斜視図、図１０は図８のソケットにおけるワイヤロープの連結作業状況を説明する拡大斜視図である。図において、１はねじ部２を有するねじ棒からなり昇降体等の連結体３に挿通された引き止め体、４は引き止め体１の反ねじ部２側に形成されたソケットであり、反引き止め体１側にテーパー孔５及び引き止め体１寄りの側面にテーパー孔５に連通した貫通孔６が設けられている。
【０００３】
７はストランド８により構成されたワイヤロープ、９はバビットメタルで、ワイヤロープ７端部のストランド８がそれぞれ折り返されて嵌入されたテーパー孔５に熔解されて充填される。１０は連結体３に挿通された引き止め体１のねじ部２に摺動移動可能に嵌合されたばね座である。
【０００４】
１１は引き止め体１のねじ部２に嵌合されて連結体３とばね座１０の間に配置された圧縮コイルばね、１２は引き止め体１のねじ部２に端部からねじ込まれてばね座１０に接して配置されたナットで、１３は引き止め体１のねじ部２に端部からねじ込まれてナット１２に接して配置された止めナットである。
【０００５】
従来のロープ引き止め具は上記のように構成され、ワイヤロープ７の端部をソケット４のテーパー孔５に挿通し貫通孔６から突出させる。この状態で、ワイヤロープ７の芯を除去してストランド８を解きほぐして図１０に示すように屈折する。その後、屈折したストランド８をテーパー孔５に収容してソケット４の貫通孔６から溶融したバビットメタル９が流し込まれて図９に示すようにワイヤロープ７がソケット４に固着される。
【０００６】
このようにして、引き止め体１にワイヤロープ７が確実に連結される。そして、連結体３に挿通された引き止め体１のねじ部２にねじ込まれたナット１２を回動して圧縮コイルばね１１を変形させることにより、ワイヤロープ７の張力を調整することができるようになっている。
【０００７】
【発明が解決しようとする課題】
上記のような従来のロープ引き止め具において、ワイヤロープ７の端部の芯を除去してストランド８を解きほぐして屈折し、テーパー孔５に収容するために煩雑な作業を要する。また、ワイヤロープ７のテーパー孔５に溶融したバビットメタル９を流し込むために火気を使用することによる危険が伴うという問題点があった。
【０００８】
この発明は、かかる問題点を解消するためになされたものであり、簡易な作業によりワイヤロープを引き止め体に確実に固着できるロープ引き止め具を得ることを目的とする。
【０００９】
【課題を解決するための手段】
この発明の第１の発明に係るロープ引き止め具においては、引き止め体と、この引き止め体の長手端が一側へ延長されてなり、この延長先端側に嵌着孔が設けられて外周から圧縮され塑性変形して嵌着孔に挿入されたワイヤロープ端部を固着する圧縮部、引き止め体側に形成された非圧縮部、及び嵌着孔の引き止め体寄り端部に設けられて外部に開口する点検用の開口部を有する筒状連結体とを備えたロープ引き止め具において、筒状連結体の引き止め体寄りに、筒状連結体の互いに対向した側面が互いに並行に削除されてなる共回り阻止用工具の係合部が設けられ、この共回り阻止用工具の係合部の反引き止め体寄りの縁部に点検用の開口部が形成される。
【００１０】
また、この発明の第２の発明に係るロープ引き止め具においては、引き止め体と、この引き止め体の長手端が一側へ延長されてなりこの延長先端側に嵌着孔が設けられて外周から圧縮され塑性変形して嵌着孔に挿入されたワイヤロープ端部を固着する筒状連結体と、圧縮による塑性変形により筒状連結体に形成された共回り阻止用工具の係合部とが設けられる。
【００１１】
【作用】
上記のように構成されたロープ引き止め具では、引き止め体と一体に構成されてワイヤロープ端部が挿入された筒状連結体を外周から圧縮し塑性変形させてワイヤロープが固着され、筒状連結体の引き止め体寄りに非圧縮部が形成され、ワイヤロープが固着されたことが確認され、開口部により嵌着孔の引き止め体寄り端部におけるワイヤロープの状態が点検される。また、ワイヤロープの張力調整時に引き止め体のナットを回動するときに、筒状連結体の互いに対向した側面が互いに並行に削除されてなる係合部に共回り阻止用工具が係合される。また、係合部の反引き止め体寄りの縁部に嵌着孔の引き止め体寄りの端部が外部に開口してなる開口部により嵌着孔の引き止め体寄り端部におけるワイヤロープの状態が点検される。
【００１２】
また、上記のように構成されたロープ引き止め具では、引き止め体と一体に構成されてワイヤロープ端部が挿入された筒状連結体を外周から圧縮し塑性変形させてワイヤロープが固着される。また、ワイヤロープの張力調整時に引き止め体のナットを回動するときに、ワイヤロープ固着時の圧縮による塑性変形により筒状連結体に形成された係合部に共回り阻止用工具が係合される。
【００１３】
【実施例】
実施例１．
図１〜図３は、この発明の一実施例を示す図で、図１は正面図、図２は図１のＩＩ−ＩＩ線断面拡大図、図３は図１の筒状連結体箇所の拡大図である。図において、１はねじ部２を有するねじ棒からなり昇降体等の連結体３に挿通された引き止め体、１４は引き止め体１の反ねじ部２側に形成された筒状連結体で、反引き止め体１側の端面に嵌着孔１５、嵌着孔１５の引き止め体１側の端部に配置されて側面に開口した開口部１６、開口部１６よりも引き止め体１寄りに配置されて側面が互いに並行に削除されてなり、スパナ等の工具（図示しない）が係合される係合部１７が設けられている。
【００１４】
１８は筒状連結体１４の嵌着孔１５対応部位からなる圧縮部、１９は筒状連結体１４の係合部１７対応部位に構成された非圧縮部、７はワイヤロープ、１０は連結体３に挿通された引き止め体１のねじ部２に摺動移動可能に嵌合されたばね座である。
【００１５】
１１は引き止め体１のねじ部２に嵌合されて連結体３とばね座１０の間に配置された圧縮コイルばね、１２は引き止め体１のねじ部２に端部からねじ込まれてばね座１０に接して配置されたナットで、１３は引き止め体１のねじ部２に端部からねじ込まれてナット１２に接して配置された止めナットである。
【００１６】
上記のように構成されたロープ引き止め具において、ワイヤロープ７の端部が筒状連結体１４の嵌着孔１５に挿入される。そして、挿入されたワイヤロープ７の端部の状態が開口部１６から確認されて、筒状連結体１４の圧縮部１８が外周から圧縮される。これによって、圧縮部１８を塑性変形し挿入されたワイヤロープ７端部が筒状連結体１４に固着される。この圧縮部１８と非圧縮部１９との存在により外観からワイヤロープ７端部の筒状連結体１４への圧着が確認される。
【００１７】
これによって、前述の図９に示す溶融バビットメタルを充填する固着手段と同等かそれ以上の確実性により、また火気を使用することによる危険を伴うことなく、簡易な作業によって容易にワイヤロープ７を引き止め体１に連結することができ、ワイヤロープの吊設作業を容易化する効果がある。また、一体の部材に引き止め体１及び筒状連結体１４が形成され、ロープ引き止め具として高い信頼性が得られ、また部材数が少なく製作費を低減することができる。そして、連結体３に挿通された引き止め体１のねじ部２にねじ込まれたナット１２を回動して圧縮コイルばね１１を変形させることにより、ワイヤロープ７の張力が調整される。
【００１８】
また、筒状連結体１４の開口部１６によりワイヤロープ７の吊設後においても、嵌着孔１５におけるワイヤロープ７の端部の状態を開口部１６から確認することができる。したがって、安全性を向上することができ、また保守、点検作業を容易化することができる。
【００１９】
また、引き止め体１のねじ部２にねじ込まれたナット１２を回動するときに、係合部１７にスパナ等を係合して引き止め体１の共回りを阻止することができ、張力調整作業を能率化することができる。なお、図１〜図３の実施例における係合部１７を引き止め体１の筒状連結体１４寄り設けることもできる。このような構成であっても係合部１７を介して引き止め体１の共回りを阻止する作用を得ることができる。
【００２０】
実施例２．
図４及び図５は、この発明の他の実施例を示す図で、図４は正面図、図５は図４のＶ−Ｖ線断面拡大図である。図において、図１及び図２と同符号は相当部分を示し、１７は筒状連結体１４の圧縮部１８を圧縮し塑性変形させて、挿入されたワイヤロープ７端部を筒状連結体１４に固着すると共に形成された係合部である。
【００２１】
上記のように構成されたロープ引き止め具においても、ワイヤロープ７の端部が筒状連結体１４の嵌着孔１５に挿入されて、ワイヤロープ７端部の状態が開口部１６から確認され、筒状連結体１４の圧縮部１８が圧縮されて、ワイヤロープ７が筒状連結体１４に固着される。また、圧縮部１８の圧縮により筒状連結体１４に係合部１７が設けられる。したがって、詳細な説明を省略するが図４及び図５の実施例においても図１及び図２の実施例と同様な作用が得られることは明白である。
【００２２】
また、図４及び図５の実施例において係合部１７が筒状連結体１４の圧縮部１８を圧縮し塑性変形させ、挿入されたワイヤロープ７端部を筒状連結体１４に固着すると共に形成される。このため、係合部１７形成のための加工費を節減することができる。
【００２３】
実施例３．
図６及び図７も、この発明の他の実施例を示す図で、図６は正面図、図７は図６のＶＩＩ−ＶＩＩ線断面拡大図である。図において、図１及び図２と同符号は相当部分を示し、１６は開口部で、筒状連結体１４の引き止め体１寄り端部の互いに対向した側面が互いに並行に削除されてなる係合部１７が設けられ、この係合部１７の反引き止め体１寄り縁部に嵌着孔１５の引き止め体１寄りの端部が開口して形成されている。
【００２４】
上記のように構成されたロープ引き止め具においても、ワイヤロープ７の端部が筒状連結体１４の嵌着孔１５に挿入されて、ワイヤロープ７端部の状態が開口部１６から確認され筒状連結体１４の圧縮部１８が圧縮されて、ワイヤロープ７が筒状連結体１４に固着される。また、筒状連結体１４に係合部１７が設けられる。したがって、詳細な説明を省略するが図６及び図７の実施例においても図１及び図２の実施例と同様な作用が得られることは明白である。
【００２５】
また、図６及び図７の実施例において、開口部１６が筒状連結体１４の引き止め体１寄りに設けられた係合部１７の反引き止め体１寄り縁部に開口した嵌着孔１５の引き止め体１寄りの端部によって形成される。したがって、開口部１６形成のための加工費を節減することができる。
【００２６】
【発明の効果】
この発明は以上説明したように、引き止め体と、この引き止め体の長手端が一側へ延長されてなり、この延長先端側に嵌着孔が設けられて外周から圧縮され塑性変形して嵌着孔に挿入されたワイヤロープ端部を固着する圧縮部、引き止め体側に形成された非圧縮部、及び嵌着孔の引き止め体寄り端部に設けられて外部に開口する点検用の開口部を有する筒状連結体とを備えたロープ引き止め具において、筒状連結体の引き止め体寄りに、筒状連結体の互いに対向した側面が互いに並行に削除されてなる共回り阻止用工具の係合部が設けられ、この共回り阻止用工具の係合部の反引き止め体寄りの縁部に点検用の開口部が形成されたものである。
【００２７】
これによって、ワイヤロープ端部が挿入された筒状連結体を外周から圧縮し塑性変形させてワイヤロープが確実に固着され、筒状連結体の引き止め体寄りに形成された非圧縮部によりワイヤロープが固着されたことが外観から確認される。また、開口部により嵌着孔の引き止め体寄り端部におけるワイヤロープの状態が点検される。これにより、火気を使用することによる危険を伴うことなく、簡易な作業によって高い信頼度でワイヤロープと筒状連結体を連結することができワイヤロープの吊設作業を容易化するとともに、筒状連結体の非圧縮部に引き止め体が接続されるので、筒状連結体と引き止め体の接続信頼性を向上する効果がある。また、非圧縮部によりワイヤロープの固着が確認され、開口部によって嵌着孔の引き止め体寄り端部のワイヤロープ状態が点検できワイヤロープ固着の安全性を向上することができ、保守、点検作業を容易化する効果がある。さらに、簡易な加工によって形成された係合部に共回り阻止用工具を係合することができワイヤロープの張力調整作業を能率化するとともに、係合部の反引き止め体寄りの縁部に形成された開口部によって嵌着孔の引き止め体寄り端部のワイヤロープ状態が点検できる効果がある。
【００２８】
また、この発明は以上説明したように、引き止め体と、この引き止め体の長手端が一側へ延長されてなりこの延長先端側に嵌着孔が設けられて外周から圧縮され塑性変形して嵌着孔に挿入されたワイヤロープ端部を固着する筒状連結体と、圧縮による塑性変形により筒状連結体に形成された共回り阻止用工具の係合部とを設けたものである。
【００２９】
これによって、ワイヤロープ端部が挿入された筒状連結体を外周から圧縮し塑性変形させてワイヤロープが固着される。また、ワイヤロープの張力調整時に引き止め体のナットを回動するときに、ワイヤロープ固着時の圧縮による塑性変形により筒状連結体に簡易な加工によって形成された係合部に共回り阻止用工具が係合される。
【００３０】
これにより、火気を使用することによる危険を伴うことなく、簡易な作業によって高い信頼度でワイヤロープと筒状連結体を連結することができワイヤロープの吊設作業を容易化する効果がある。また、筒状連結体のワイヤロープ固着時の圧縮による塑性変形により形成された係合部に共回り阻止用工具を係合することができワイヤロープの張力調整作業を能率化する効果がある。
【図面の簡単な説明】
【図１】  この発明の実施例１を示す正面図。
【図２】  図１のＩＩ−ＩＩ線断面拡大図。
【図３】  図１の筒状連結体箇所の拡大図。
【図４】  この発明の実施例２を示す正面図。
【図５】  図４のＶ−Ｖ線断面拡大図。
【図６】  この発明の実施例３を示す正面図。
【図７】  図６のＶＩＩ−ＶＩＩ線断面拡大図。
【図８】  従来のロープ引き止め具を示す正面図。
【図９】  図８のソケット箇所の拡大斜視図。
【図１０】  図８のソケットに対するワイヤロープの連結作業工程の状況を説明する拡大斜視図。
【符号の説明】
１  引き止め体、７  ワイヤロープ、１４  筒状連結体、１５  嵌着孔、１６  開口部、１７  係合部、１８  圧縮部、１９  非圧縮部。
【図１】
0003688345.tif 000002
【図２】
0003688345.tif 000003
【図３】
0003688345.tif 000004
【図４】
0003688345.tif 000005
【図５】
0003688345.tif 000006
【図６】
0003688345.tif 000007
【図７】
0003688345.tif 000008
【図８】
0003688345.tif 000009
【図９】
0003688345.tif 000010
【図１０】
0003688345.tif 000011